(57)【要約】      （修正有）【課題】着用した時に汗臭くなったり、カビが生えたりする事が無く、洗濯をする必要が少なく、あるいは洗濯をするとしても極力少ない頻度にすることを可能にし、その取り扱いが簡単なかつら、部分かつらを提供する。【解決手段】上面に植毛されたベース部３の裏面に銀イオン又は銀微粒子が含浸されて構成されている。銀イオンの含浸方法はスプレーによる吹きつけや刷毛塗りなどで良い。又、ベース部に人毛又は人工毛を植毛する前にベース部を銀微粒子が含まれた溶液に浸し含浸させても良い。【選択図】図１
0003195139.tif 000002
【実用新案登録請求の範囲】
【請求項１】
かつらのベース部に銀イオン又は銀微粒子を含浸させてなることを特徴とするかつら。
【考案の詳細な説明】
【考案の詳細な説明】
【技術分野】
【０００１】本考案はメンテナンスフリーのかつらに関する。
【背景技術】
【０００２】一般にかつらは、特許文献１のように、ネットやレースのベース部に人毛又は人工毛を植毛されて形成されている。【０００２】かつらは長期に亘り使用される場合が多いが、汗を掻いたり、煙草の臭いが付いて悪臭が付き、カビが生えたりする問題があった。【０００３】そのメンテナンスのためには、美容室やかつら専門店などに依頼してシャンプー、リンス、カールなどを施しセットをする。そうでない場合は、自分でシャンプー等を行い、陰干しをして仕上げる方法が一般的である。【０００４】美容室やかつら専門店での洗濯やメンテナンスは高額になり、負担となった。
又、自分で洗濯（シャンプー、リンス、）を行い、陰干しをして、カールなどしてセットをするには技術を要した。又、素人で行うとグジャグジャになりデザインが元どうりに再現できないことが多い。
【先行技術文献】
【特許文献】
【０００５】
【特許文献１】  実用新案登録第３１９０５０７号
【考案が解決しようとする課題】
【０００６】本考案はかつらを着用する人が汗による悪臭や、カビの発生に対し、洗濯等のメンテナンスを軽減するかつらを提供することを目的する。
【課題を解決する手段】
【０００７】本考案かつらはベース部に、銀イオン又は銀微粒子を分散させてなることを特徴とする。
【考案の効果】
【０００８】本考案のかつら又は部分かつらは、ベース部に銀イオン又は銀微粒子を分散させて含浸させてあるため、銀の殺菌、抗菌作用によりカビの発生を防止する。又銀は悪臭を発生させる細菌にダメージを与えて、悪臭の発生を防止し、快適に使用することができる。従ってカビの発生を防止し、悪臭の発生を防止する事により、洗濯をする頻度が軽減され、また洗濯するとしても、その洗濯回数は極力少なくする事ができる。
【考案を実施するための最良の形態】
【０００９】以下本考案の実地形態に係わるかつら、部分かつらについて図を用いて説明を行う。【００１０】図１は第一の実施の形態の部分かつら１の全体を示す平面図である。図１において部分かつら１は主に人毛又は人工毛２を植毛する為のベース部３で構成されている。このベース部３にスプレーにて銀イオンが含まれた溶液を吹き付け、ベース部３に銀イオンを含浸させている。【００１１】又銀イオンの含浸させる方法はスプレーによる吹きつけや刷毛塗りなどでも良い。
又、ベース部３に人毛又は人工毛を植毛する前にそのベース部３を銀微粒子が含まれた溶液に浸し含浸させても良い。【００１２】その銀イオン溶液を２０倍〜６０倍に純水にて希釈して使用するのが適している。
又、希釈された溶液にバインダを１０％〜３０％加えることにより、製品への付着効果がアップし、その効果の持続性も増す効果がある。
銀イオン溶液は、例えば硫酸銀の希釈溶液を使ってもよく、あるいは銀電極に通電し、銀イオンを発生させた溶液を使用しても良い。【００１３】本考案では銀イオンに換えて、銀微粒子を使用することができる。
銀微粒子溶液は日本イオン株式会社製のナノサイズの純銀超微粒子（ナノシルバー）の分散液が適しており、製品への付着効果としてバインダを添加し効果の持続性を保持させることが出来る。【００１４】ナノサイズの純銀超微粒子（ナノシルバー）は全てが純銀で、外表面が強いプラスに常時帯電しているターゼ電位が存在し、細菌の細胞膜（マイナスに帯電している）に吸着し、細胞膜を破壊し、細胞の活動を停止させて、その増殖を押える効果がある。
ナノサイズとは１ナノメートル〜２５０ナノメートルの超微粒子で構成されており、ナノシルバーとは銀をナノサイズに特殊加工したもので、銀微粒子を分散させたものである。
【図１】
0003195139.tif 000003
【手続補正書】
【提出日】平成26年11月7日(2014.11.7)
【手続補正１】
【補正対象書類名】明細書
【補正対象項目名】全文
【補正方法】変更
【補正の内容】
【考案の詳細な説明】
【考案の詳細な説明】
【技術分野】
【０００１】本考案はメンテナンスフリーのかつらに関する。
【背景技術】
【０００２】一般にかつらは、特許文献１のように、ネットやレースのベース部に人毛又は人工毛を植毛されて形成されている。
かつらは長期に亘り使用される場合が多いが、汗を掻いたり、煙草の臭いが付いて悪臭が付き、カビが生えたりする問題があった。【０００３】そのメンテナンスのためには、美容室やかつら専門店などに依頼してシャンプー、リンス、カールなどを施しセットをする。そうでない場合は、自分でシャンプー等を行い、陰干しをして仕上げる方法が一般的である。【０００４】美容室やかつら専門店での洗濯やメンテナンスは高額になり、負担となった。
又、自分で洗濯（シャンプー、リンス、）を行い、陰干しをして、カールなどしてセットをするには技術を要した。又、素人で行うとグジャグジャになりデザインが元どうりに再現できないことが多い。
【先行技術文献】
【特許文献】
【０００５】
【特許文献１】実用新案登録第３１９０５０７号
【考案が解決しようとする課題】
【０００６】本考案はかつらを着用する人が汗による悪臭や、カビの発生に対し、洗濯等のメンテナンスを軽減するかつらを提供することを目的する。
【課題を解決する手段】
【０００７】本考案かつらはベース部に、銀イオン又は銀微粒子を分散させてなることを特徴とする。
【考案の効果】
【０００８】本考案のかつら又は部分かつらは、ベース部に銀イオン又は銀微粒子を分散させて含浸させてあるため、銀の殺菌、抗菌作用によりカビの発生を防止する。又銀は悪臭を発生させる細菌にダメージを与えて、悪臭の発生を防止し、快適に使用することができる。従ってカビの発生を防止し、悪臭の発生を防止する事により、洗濯をする頻度が軽減され、また洗濯するとしても、その洗濯回数は極力少なくする事ができる。
【考案を実施するための最良の形態】
【０００９】以下本考案の実施形態に係わるかつら、部分かつらについて図を用いて説明を行う。【００１０】図１は第一の実施の形態の部分かつら１の全体を示す平面図である。図１において部分かつら１は主に人毛又は人工毛２を植毛する為のベース部３で構成されている。このベース部３にスプレーにて銀イオンが含まれた溶液を吹き付け、ベース部３に銀イオンを含浸させている。【００１１】又銀イオンの含浸させる方法はスプレーによる吹きつけや刷毛塗りなどでも良い。
又、ベース部３に人毛又は人工毛を植毛する前にそのベース部３を銀微粒子が含まれた溶液に浸し含浸させても良い。【００１２】その銀イオン溶液を２０倍〜６０倍に純水にて希釈して使用するのが適している。
又、希釈された溶液にバインダを１０％〜３０％加えることにより、製品への付着効果がアップし、その効果の持続性も増す効果がある。
銀イオン溶液は、例えば硫酸銀の希釈溶液を使ってもよく、あるいは銀電極に通電し、銀イオンを発生させた溶液を使用しても良い。【００１３】本考案では銀イオンに換えて、銀微粒子を使用することができる。
銀微粒子溶液は日本イオン株式会社製のナノサイズの純銀超微粒子（ナノシルバー）の分散液が適しており、製品への付着効果としてバインダを添加し効果の持続性を保持させることが出来る。【００１４】ナノサイズの純銀超微粒子（ナノシルバー）は全てが純銀で、外表面が強いプラスに常時帯電しているターゼ電位が存在し、細菌の細胞膜（マイナスに帯電している）に吸着し、細胞膜を破壊し、細胞の活動を停止させて、その増殖を押える効果がある。
ナノサイズとは１ナノメートル〜２５０ナノメートルの超微粒子で構成されており、ナノシルバーとは銀をナノサイズに特殊加工したもので、銀微粒子を分散させたものである。
【図面の簡単な説明】
【００１５】
【図１】  本考案の一例の部分かつらの平面図である。
【符号の説明】
【００１６】  １      部分かつら
２      人毛又は人工毛
３      ベース部